(57)【要約】【課題】画像形成装置が備える人体検知センサーの検出範囲を明確に表示する。【解決手段】  本発明の表示装置２は、画像形成装置に関する拡張現実画像を表示する表示装置であって、表示部２１と、制御部２０と、通信部２２とを備える。表示部２１は、拡張現実画像を表示する。通信部２２は、画像形成装置１が備える人体検知センサー１１の検知する最大範囲及び人体検知センサー１１の検知した範囲を示す検知範囲情報を、画像形成装置１から受信する。制御部２０は、検知範囲情報に基づいて、拡張現実画像を表示するように表示部２１を制御する。拡張現実画像は、人体検知センサー１１の検知する最大範囲を示す最大範囲画像Ｌ１と、人体検知センサー１１の検知した範囲を示す検知範囲画像Ｌ２を含む。【選択図】図４
2019160177.tif 000002
【特許請求の範囲】
【請求項１】
画像形成装置に関する拡張現実画像を表示する表示装置であって、
前記拡張現実画像を表示する表示部と、
前記表示部による表示を制御する制御部と、
前記画像形成装置との間で通信可能な通信部と
を備え、
前記通信部は、前記画像形成装置から検知範囲情報を受信し、
前記検知範囲情報は、前記画像形成装置に備えられた人体検知センサーの検知する最大範囲及び前記人体検知センサーの検知した範囲を示し、
前記制御部は、前記検知範囲情報に基づいて、前記拡張現実画像を表示するように前記表示部を制御し、
前記拡張現実画像は、前記人体検知センサーの検知する最大範囲を示す最大範囲画像と、前記人体検知センサーの検知した範囲を示す検知範囲画像を含む、表示装置。
【請求項２】
前記通信部は、前記画像形成装置から前記人体検知センサーの検知感度を示す感度情報を更に受信し、
前記制御部は、ユーザーによる前記画像形成装置の感度変更指示に基づいて、変更後の感度情報を示す感度変更情報を生成し、
前記通信部は、前記感度変更情報を前記画像形成装置に送信し、
前記制御部は、変更後の検知範囲情報及び前記感度情報に基づいて、前記拡張現実画像を表示するように前記表示部を制御する、請求項１に記載の表示装置。
【請求項３】
前記通信部は、前記画像形成装置から前記画像形成装置の省エネ復帰レベルを示すレベル情報を更に受信し、
省エネ復帰レベルは、前記画像形成装置が省エネのため節電する際のレベルを示し、
前記制御部は、ユーザーによる前記画像形成装置の省エネ復帰レベル変更指示に基づいて、変更後のレベル情報を示すレベル変更情報を生成し、
前記通信部は、前記レベル変更情報を前記画像形成装置に送信し、
前記制御部は、変更後の検知範囲情報及び前記レベル情報に基づいて、前記拡張現実画像を表示するように前記表示部を制御する、請求項１又は請求項２に記載の表示装置。
【請求項４】
省エネ復帰レベルの違いが、前記検知範囲画像における線の太さの違いで表示される、請求項３に記載の表示装置。
【請求項５】
省エネ復帰レベルの違いが、前記検知範囲画像における線の色の違いで表示される、請求項３に記載の表示装置。
【請求項６】
画像形成装置に備えられた人体検知センサーの検知する最大範囲及び前記人体検知センサーの検知した範囲を示す検知範囲情報を、表示装置の表示部に拡張現実画像として表示するための表示プログラムであって、
前記検知範囲情報を受信するステップと、
前記検知範囲情報に基づいて、前記拡張現実画像を表示するように前記表示部を制御するステップと
を備え、
前記拡張現実画像は、前記人体検知センサーの検知する最大範囲を示す最大範囲画像と、前記人体検知センサーの検知した範囲を示す検知範囲画像とを含む、表示プログラム。
【発明の詳細な説明】
【技術分野】
【０００１】
本発明は、表示装置及び表示プログラムに関する。
【背景技術】
【０００２】
特許文献１に記載の情報処理装置は、表示手段と、人検出手段と、比較手段と、制御手段とを備える。人検出手段が情報処理装置近傍に人が存在しているか否かを検出し、比較手段が近傍に人が存在していた時間と予め設定された閾値とを比較し、制御手段が比較結果に基づいて表示手段に表示する画像の有無を制御する。
【先行技術文献】
【特許文献】
【０００３】
【特許文献１】特開２００２−６６８６号公報
【発明の概要】
【発明が解決しようとする課題】
【０００４】
特許文献１に記載の情報処理装置によれば、人検出手段により情報処理装置近傍に設定された検知範囲内の人を検知し、検知範囲内に人が一定期間いなければ電力使用量を低減できるので、不要な電力が削減できる。しかしながら、人検出手段の検知範囲はユーザーには見えない。そのため、人検出手段の検知範囲に基づいて、情報処理装置の設置場所や感度の適切な調整は容易ではない。
【０００５】
本発明は、上記課題に鑑みてなされたものであり、拡張現実（Ａｒｔｉｆｉｃｉａｌ  Ｒｅａｌｉｔｙ）技術を用いて、画像形成装置が備える人体検知センサーの検知範囲を明確に表示できる表示装置を提供することを目的としている。
【課題を解決するための手段】
【０００６】
本発明の表示装置は、画像形成装置に関する拡張現実画像を表示する表示装置であって、表示部と、制御部と、通信部とを備える。前記表示部は、前記拡張現実画像を表示する。前記通信部は、前記画像形成装置が備える人体検知センサーの検知する最大範囲及び前記人体検知センサーの検知した範囲を示す検知範囲情報を、前記画像形成装置から受信する。前記制御部は、前記検知範囲情報に基づいて、前記拡張現実画像を表示するように前記表示部を制御する。前記拡張現実画像は、前記人体検知センサーの検知する最大範囲を示す最大範囲画像と、前記人体検知センサーの検知した範囲を示す検知範囲画像を含む。
【０００７】
本発明の表示プログラムは、画像形成装置に備えられた人体検知センサーの検知する最大範囲及び前記人体検知センサーの検知した範囲を示す検知範囲情報を、表示装置の表示部に拡張現実画像として表示する。本発明の表示プログラムは、前記検知範囲情報を受信するステップと、前記検知範囲情報に基づいて、前記拡張現実画像を表示するように前記表示部を制御するステップとを備える。前記拡張現実画像は、前記人体検知センサーの検知する最大範囲を示す最大範囲画像と、前記人体検知センサーの検知した範囲を示す検知範囲画像とを含む。
【発明の効果】
【０００８】
本発明の表示装置によれば、画像形成装置が備える人体検知センサーの検出範囲を明確に表示できる。
【図面の簡単な説明】
【０００９】
【図１】本発明の実施形態１〜３に係る表示装置と、画像形成装置との関係を示す図である。
【図２】本発明の実施形態１に係る表示装置と、表示装置と接続した画像形成装置とを示すブロック図である。
【図３】本発明の実施形態１に係る表示装置の動作を示すフローチャートである。
【図４】本発明の実施形態１に係る表示装置の表示部に表示される拡張現実画像を示す図である。
【図５】本発明の実施形態２に係る表示装置と、表示装置と接続した画像形成装置とを示すブロック図である。
【図６】本発明の実施形態２に係る表示装置の動作を示すフローチャートである。
【図７】本発明の実施形態２に係る表示装置の表示部に表示される拡張現実画像を示す図である。なお、図７（ａ）は感度変更前の拡張現実画像を示す図であり、図７（ｂ）は感度変更後の拡張現実画像を示す図である。
【図８】本発明の実施形態３に係る表示装置と、表示装置と接続した画像形成装置とを示すブロック図である。
【図９】本発明の実施形態３に係る表示装置の動作を示すフローチャートである。
【図１０】本発明の実施形態３に係る表示装置の表示部に表示される拡張現実画像を示す図である。なお、図１０（ａ）は復帰レベル変更前の拡張現実画像を示す図であり、図１０（ｂ）は復帰レベル変更後の拡張現実画像を示す図である。
【発明を実施するための形態】
【００１０】
以下、本発明の実施形態について、図面（図１〜図１０）を参照しながら説明する。なお、図中、同一又は相当部分については同一の参照符号を付して説明を繰り返さない。
【００１１】
まず、図１を参照して、画像形成装置１と、本発明の実施形態１〜３に係る表示装置２との関係を示す。図１に示すように、画像形成装置１と表示装置２とは無線通信により、相互に情報の送受信が可能である。
【００１２】
画像形成装置１は、例えば、カラー複合機である。画像形成装置１は用紙に画像を形成する。画像形成装置１は、通常のカラー複合機と同様に、電源、操作パネル、ＦＡＸ通信装置、及びスキャナーユニット等を備えている。画像形成装置１は、ＱＲコード（登録商標）からなる拡張現実マーカーＡＲＭを含む。
【００１３】
表示装置２は、例えば、スマートフォンである。表示装置２は、拡張現実画像を表示する表示部２１を備える。表示装置２は、通常のスマートフォンと同様に、通信装置、マイク、スピーカー、及び電池等を備える。
【００１４】
（実施形態１）
図２から図４を参照して、本発明の実施形態１について説明する。実施形態１によれば、表示装置２は、画像形成装置１に備えられた人体検知センサーの検知する検知範囲を拡張現実画像によって表示部２１に表示できる。
【００１５】
図２は、実施形態１における画像形成装置１と表示装置２との構成を示すブロック図である。図２に示すように、画像形成装置１は、制御部１０、人体検知センサー１１、通信部１２、及び記憶部１３を備えている。
【００１６】
制御部１０は、記憶部１３に記憶されたプログラムを実行することによって、数値計算、情報処理、及び機器制御のような処理を行う。制御部１０は、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）である。
【００１７】
人体検知センサー１１は、画像形成装置１に人が接近したことを検知して制御部２０に通知する。人体検知センサー１１は、例えば、焦電型赤外線センサー、及び反射型センサーである。
【００１８】
通信部１２は、無線通信によって、表示装置２と情報を送受信する。無線通信方式は、特に限定されないが表示装置２と同一の無線方式である。無線通信方式は、例えば、無線ＬＡＮ（Ｌｏｃａｌ  Ａｒｅａ  Ｎｅｔｗｏｒｋ）、及びＢｌｕｅｔｏｏｔｈ（登録商標）のような近距離無線通信方式である。
【００１９】
記憶部１３は、画像形成装置１が機能するために必要なプログラム、及び人体検知センサー１１の設定情報を記憶する。また、記憶部１３は、検知範囲情報１３１を記憶する。検知範囲情報１３１は、人体検知センサー１１の検知する最大範囲及び人体検知センサー１１の検知した範囲を示す。
【００２０】
なお、図２に示してはいないが、記憶部１３は、通常のカラー複合機が備える記憶部と同様に、電源、操作パネル、ＦＡＸ通信装置、及びスキャナーユニット等を制御するためのプログラムを記憶する。
【００２１】
記憶部１３は、例えば、ＨＤＤ（Ｈａｒｄ  Ｄｉｓｋ  Ｄｒｉｖｅ）が備える磁気ディスク、ＳＳＤ（Ｓｏｌｉｄ  Ｓｔａｔｅ  Ｄｒｉｖｅ）が備える半導体メモリー、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）である。
【００２２】
図２に示すように、表示装置２は、制御部２０、表示部２１、通信部２２、画像取得部２３、及び記憶部２４を備えている。
【００２３】
制御部２０は、プロセッサー、及び制御記憶部を備える。制御部２０のプロセッサーは、制御記憶部に記憶された制御プログラムを実行することによって、数値計算、情報処理、及び機器制御のような処理を行う。制御部２０のプロセッサーは、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）である。
【００２４】
表示部２１は、制御部２０の制御にしたがって拡張現実画像を表示するタッチパネルである。表示部２１は、拡張現実画像を表示するディスプレー２１１と、タッチセンサー２１２とを備えている。タッチセンサー２１２は、ディスプレー２１１の表面に設けられ、表示装置２を操作するために用いられる。
【００２５】
通信部２２は、無線通信によって、画像形成装置１と情報を送受信する。無線通信方式は、特に限定されないが画像形成装置１と同一の無線方式である。無線通信方式は、例えば、無線ＬＡＮ（Ｌｏｃａｌ  Ａｒｅａ  Ｎｅｔｗｏｒｋ）、及びＢｌｕｅｔｏｏｔｈ（登録商標）のような近距離無線通信方式である。
【００２６】
画像取得部２３は、画像形成装置１の周辺環境画像を取得する。周辺環境画像は、ユーザーが画像形成装置１とその近傍を撮影した画像である。周辺環境画像は、画像取得部２３によって制御部２０に送信される。画像取得部２３は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー、及びＣＣＤ（Ｃｈａｒｇｅ  Ｃｏｕｐｌｅｄ  Ｄｅｖｉｃｅ）イメージセンサーのような撮像素子である。
【００２７】
記憶部２４は、表示装置２が機能するために必要なプログラム、表示部２１等の設定情報を記憶する。記憶部２４は、例えば、ＨＤＤ（Ｈａｒｄ  Ｄｉｓｋ  Ｄｒｉｖｅ）が備える磁気ディスク、ＳＳＤ（Ｓｏｌｉｄ  Ｓｔａｔｅ  Ｄｒｉｖｅ）が備える半導体メモリー、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）である。なお、図２に示してはいないが、記憶部２４は、通常のスマートフォンと同様に、公衆電話回線通信装置、マイク、及びスピーカー等を制御するためのプログラムを記憶する。
【００２８】
制御部２０は、ＡＲＭ判別部２０１、検知範囲情報受信部２０２、及び拡張画像生成部２０３を備える。具体的には、制御部２０のプロセッサーは、制御プログラムを実行することによって、ＡＲＭ判別部２０１、及び検知範囲情報受信部２０２、及び拡張画像生成部２０３として機能する。
【００２９】
ＡＲＭ判別部２０１は、周辺環境画像から拡張現実マーカーＡＲＭを探し出して、拡張現実マーカーＡＲＭを読み取る。そして、ＡＲＭ判別部２０１は、拡張現実マーカーＡＲＭに記載されている接続情報に基づいて、画像形成装置１と情報の送受信ができるように、通信部２２を設定する。
【００３０】
検知範囲情報受信部２０２は、画像形成装置１から通信部２２を経由して、検知範囲情報１３１を受信し、拡張画像生成部２０３に送信する。
【００３１】
拡張画像生成部２０３は、検知範囲情報受信部２０２から受信した検知範囲情報１３１に基づいて、検知範囲情報１３１に対応する最大範囲画像及び検知範囲画像を生成する。そして、拡張画像生成部２０３は、最大範囲画像及び検知範囲画像を含む拡張現実画像を表示するように表示部２１を制御する。最大範囲画像は人体検知センサー１１の検知する最大範囲を示し、検知範囲画像は人体検知センサー１１の検知した範囲を示す。
【００３２】
つぎに、図３を参照して、表示装置２に拡張現実画像が表示されるまでの表示装置２の動作を説明する。図３は表示装置２の動作を示すフローチャートである。
【００３３】
ステップＳ１０１において、ユーザーが、表示装置２の画像取得部２３を画像形成装置１の周辺に向けると、表示装置２の表示部２１が、画像形成装置１の周辺環境画像を表示する。動作はステップＳ１０２に進む。
【００３４】
ステップＳ１０２において、ＡＲＭ判別部２０１が、周辺環境画像から拡張現実マーカーＡＲＭが存在するか否かを判定する。拡張現実マーカーＡＲＭが存在するとＡＲＭ判別部２０１が判定した場合（ステップＳ１０２のＹＥＳ）は、動作はステップＳ１０３に進む。反対に、拡張現実マーカーＡＲＭが存在しないとＡＲＭ判別部２０１が判定した場合（ステップＳ１０２のＮＯ）は、動作はステップＳ１０１に進み、ステップＳ１０１において周辺環境画像を表示部２１に再度表示する。
【００３５】
ステップＳ１０３において、ＡＲＭ判別部２０１が、拡張現実マーカーＡＲＭを読み込み、画像形成装置１と表示装置２との間で情報の送受信が可能になるように通信部２２を設定する。動作はステップＳ１０４に進む。
【００３６】
ステップＳ１０４において、検知範囲情報受信部２０２が、画像形成装置１から通信部２２経由で検知範囲情報１３１を受信する。動作はステップＳ１０５に進む。
【００３７】
ステップＳ１０５において、拡張画像生成部２０３が、検知範囲情報１３１に基づいて、検知範囲情報１３１に対応する最大範囲画像及び検知範囲画像を生成する。そして、拡張画像生成部２０３が、最大範囲画像及び検知範囲画像を含む拡張現実画像を表示するように表示部２１を制御する。最後に、表示部２１が拡張現実画像を表示する。
【００３８】
図４を参照して、本実施形態における拡張現実画像を説明する。図４は、表示装置２の表示部２１に表示された拡張現実画像の一例である。図４に示すように、画像形成装置１の周囲には、人体検知センサー１１の最大範囲画像が細線Ｌ１で表示され、人体検知センサー１１の検知範囲画像が太線Ｌ２で表示されている。
【００３９】
以上、図１から図４を参照して、本発明の実施形態１に係る表示装置２について説明した。実施形態１によれば、ユーザーは、拡張現実画像を利用して、画像形成装置１に備えられた人体検知センサー１１の検知する最大範囲及び人体検知センサー１１の検知した範囲を知ることができる。そして、これらを参考にしながら、ユーザーは画像形成装置１の設置場所や感度を容易に調整できる。
【００４０】
（実施形態２）
図５から図７を参照して、本発明の実施形態２について説明する。実施形態２によれば、表示装置２は、画像形成装置１に備えられた人体検知センサー１１の検知範囲を拡張現実画像によって表示部２１に表示できるともに、人体検知センサー１１の検知感度を変更できる。
【００４１】
図５は、実施形態２における画像形成装置１と表示装置２との構成を示すブロック図である。図５に示すように、画像形成装置１は、記憶部１３が検知範囲情報１３１に加えて、人体検知センサー１１の検知感度を示す感度情報１３２を記憶していることを除けば、実施形態１の画像形成装置１と構成が同じである。従って、実施形態２の画像形成装置１の構成のうち、実施形態１の画像形成装置１と同じ構成については説明を省略する。
【００４２】
また、図５に示すように、表示装置２は、制御部２０の制御記憶部が実施形態２の表示装置２として機能するために新たなプログラムを記憶することを除けば、実施形態１の表示装置２と構成が同じである。制御部２０の制御記憶部が記憶する新たなプログラムは、感度情報受信部２０４、感度変更情報生成部２０５及び感度変更情報送信部２０６として機能する。従って、実施形態２の表示装置２の構成のうち、実施形態１の表示装置２と同じ構成については説明を省略する。
【００４３】
感度情報受信部２０４は、画像形成装置１から通信部２２を経由して、人体検知センサー１１の検知感度を示す感度情報１３２を受信する。そして、感度情報受信部２０４は、受信した感度情報１３２に基づいて検知範囲画像を表示部２１に表示するように、拡張画像生成部２０３を制御する。
【００４４】
感度変更情報生成部２０５は、表示部２１のタッチセンサー２１２を経由して、ユーザーから変更後の感度情報１３２を受け付ける。そして、感度変更情報生成部２０５は、変更後の感度情報１３２を示す感度変更情報を生成する。
【００４５】
感度変更情報送信部２０６は、感度変更情報を画像形成装置１に送信するように、通信部２２を制御する。
【００４６】
つぎに、図６を参照して、表示装置２に拡張現実画像が表示されるまでの表示装置２の動作を説明する。図６は表示装置２の動作を示すフローチャートである。なお、ステップＳ１０１からステップＳ１０３までは、実施形態１と同じである。そこで、ステップＳ１０１からステップＳ１０３までの説明を省略する。
【００４７】
ステップＳ２０４において、検知範囲情報受信部２０２及び感度情報受信部２０４が、画像形成装置１から通信部２２経由で、検知範囲情報１３１及び感度情報１３２を受信する。動作はステップＳ２０５に進む。
【００４８】
ステップＳ２０５において、拡張画像生成部２０３が、検知範囲情報１３１及び感度情報１３２に基づいて、最大範囲画像及び検知範囲画像を生成する。そして、拡張画像生成部２０３が、最大範囲画像及び検知範囲画像を含む拡張現実画像を表示するように表示部２１を制御する。最後に、表示部２１が拡張現実画像を表示する。動作はステップＳ２０６に進む。
【００４９】
ステップＳ２０６において、感度変更情報生成部２０５は、ユーザーから画像形成装置１の感度の変更指示を受け付けたか否かを判定する。ユーザーから画像形成装置１の感度の変更指示を受け付けたと感度変更情報生成部２０５が判定した場合（ステップＳ２０６のＹＥＳ）、動作はステップＳ２０７に進む。反対に、感度の変更指示を受け付けていないと感度変更情報生成部２０５が判定した場合（ステップＳ２０６のＮＯ）、動作はステップＳ２０６に戻り、ステップＳ２０６において感度変更情報生成部２０５は変更指示を待つ。
【００５０】
ステップＳ２０７において、感度変更情報生成部２０５が、変更後の感度情報１３２を示す感度変更情報を生成する。そして、感度変更情報送信部２０６が、通信部２２経由で、感度変更情報を画像形成装置１に送信する。感度変更情報が画像形成装置１に送信されると、画像形成装置１の感度情報１３２が変更される。動作はステップＳ２０８に進む。
【００５１】
ステップＳ２０８において、検知範囲情報受信部２０２及び感度情報受信部２０４が、検知範囲情報１３１及び感度情報１３２を画像形成装置１から再度受信する。動作はステップＳ２０９に進む。
【００５２】
ステップＳ２０９において、拡張画像生成部２０３が、変更後の検知範囲情報１３１及び感度情報１３２に基づいて、最大範囲画像及び検知範囲画像を生成する。そして、拡張画像生成部２０３が、最大範囲画像及び検知範囲画像を含む拡張現実画像を表示するように表示部２１を制御する。最後に、表示部２１が拡張現実画像を表示する。
【００５３】
図７を参照して、本実施形態における拡張現実画像を説明する。図７（ａ）は感度変更前の拡張現実画像（感度設定が「中」の場合）を示す。図７（ａ）においては、感度設定が「中」であり、画像形成装置１の周囲に、最大範囲画像は細線Ｌ１で表示され、検知範囲は太線Ｌ２で表示される。図７（ａ）において、太線Ｌ２で表示される検知範囲は狭い。
【００５４】
一方、図７（ｂ）は感度変更後の拡張現実画像（感度設定が「強」の場合）を示す。図７（ｂ）においては、設定感度が「強」であり、画像形成装置１の周囲に、最大範囲画像が細線Ｌ１で表示され、検知範囲は太線Ｌ２で表示される。図７（ｂ）において、太線Ｌ２で表示される検知範囲は、図７（ａ）において太線Ｌ２で表示される検知範囲に比べて広い。
【００５５】
このように、実施形態２の表示装置２は、画像形成装置１の人体検知センサー１１の検出感度を変更することによって、人体検知センサー１１の検知範囲を変更できる。
【００５６】
以上、図５から図７を参照して、本発明の実施形態２に係る表示装置２について説明した。実施形態２の表示装置２は、人体検知センサー１１の検知範囲を変更できる。そのため、ユーザーは画像形成装置１の設置場所や感度をより適切に調整できる。
【００５７】
（実施形態３）
つぎに、図８から図１０を参照して、本発明の実施形態３について説明する。
実施形態３によれば、表示装置２は、画像形成装置１に備えられた人体検知センサー１１の検知範囲を拡張現実画像によって表示部２１に表示できるとともに、画像形成装置１の省エネ復帰レベルを変更できる。
【００５８】
省エネ復帰レベルは、画像形成装置１が省エネのため節電する際のレベルを示し、２段階の節電モードを含む。２段階の節電モードうちの一つは、「低電力モード」であり、タッチパネルやランプを消灯し、消費電力を低減するモードである。２段階の節電モードうちの他の一つは、「スリープモード」であり、タッチパネルやランプを消灯するとともに、定着部の温度を下げて消費電力を最小にするモードである。
【００５９】
「低電力モード」は「スリープモード」に比べて、節電量は少ないが印刷できる状態への復帰は早い。反対に、「スリープモード」は「低電力モード」に比べて、節電量は大きいが印刷できる状態への復帰は遅い。
【００６０】
図８は、実施形態３における画像形成装置１と表示装置２との構成を示すブロック図である。図８に示すように、画像形成装置１は、記憶部１３が検知範囲情報１３１に加えて、省エネ復帰レベルを示すレベル情報１３３を記憶していることを除けば、実施形態１の画像形成装置１と構成が同じである。従って、実施形態３の画像形成装置１の構成のうち、実施形態１の画像形成装置１と同じ構成については説明を省略する。
【００６１】
また、図８に示すように、表示装置２は、制御部２０の制御記憶部が実施形態３の表示装置２として機能するために新たなプログラムを記憶することを除けば、実施形態１の表示装置２と構成が同じである。制御部２０の制御記憶部が記憶する新たなプログラムは、レベル情報受信部２０７、レベル変更情報生成部２０８、及びレベル変更情報送信部２０９として機能する。従って、実施形態３の表示装置２の構成のうち、実施形態１の表示装置２と同じ構成については説明を省略する。
【００６２】
レベル情報受信部２０７は、画像形成装置１から通信部２２を経由して、省エネ復帰レベルを示すレベル情報１３３を受信する。そして、レベル情報受信部２０７は、レベル情報１３３に基づいて検知範囲画像を表示部２１に表示するように、拡張画像生成部２０３を制御する。
【００６３】
レベル変更情報生成部２０８は、表示部２１のタッチセンサー２１２を経由して、ユーザーから変更後のレベル情報１３３を受け付ける。そして、レベル変更情報生成部２０８は、変更後のレベル情報１３３を示すレベル変更情報を生成する。
【００６４】
レベル変更情報送信部２０９は、レベル変更情報を画像形成装置１に送信するように、通信部２２を制御する。
【００６５】
つぎに、図９を参照して、表示装置２に拡張現実画像が表示されるまでの表示装置２の動作を説明する。図９は表示装置２の動作を示すフローチャートである。なお、ステップＳ１０１からステップＳ１０３までは、実施形態１と同じである。そこで、ステップＳ１０１からステップＳ１０３までの説明を省略する。
【００６６】
ステップＳ３０４において、検知範囲情報受信部２０２及びレベル情報受信部２０７が、画像形成装置１から通信部２２経由で、検知範囲情報１３１及びレベル情報１３３を受信する。動作はステップＳ３０５に進む。
【００６７】
ステップＳ３０５において、拡張画像生成部２０３が、検知範囲情報１３１及びレベル情報１３３に基づいて、最大範囲画像及び検知範囲画像を生成する。そして、拡張画像生成部２０３が、最大範囲画像及び検知範囲画像を含む拡張現実画像を表示するように表示部２１を制御する。最後に、表示部２１が拡張現実画像を表示する。動作はステップＳ３０６に進む。
【００６８】
ステップＳ３０６において、レベル変更情報生成部２０８は、ユーザーから画像形成装置１の省エネ復帰レベルの変更指示を受け付けたか否かを判定する。
ユーザーから画像形成装置１の省エネ復帰レベルの変更指示を受け付けたとレベル変更情報生成部２０８が判定した場合（ステップＳ３０６のＹＥＳ）、動作はステップＳ３０７に進む。反対に、省エネ復帰レベルの変更指示を受けつけていないとレベル変更情報生成部２０８が判定した場合（ステップＳ３０６のＮＯ）、動作はステップＳ３０６に戻り、ステップＳ３０６においてレベル変更情報生成部２０８は変更指示を待つ。
【００６９】
ステップＳ３０７において、レベル変更情報生成部２０８が、変更後のレベル情報１３３を示すレベル変更情報を生成する。そして、レベル変更情報送信部２０９が、レベル変更情報を、通信部２２を経由して画像形成装置１に送信する。レベル変更情報が画像形成装置１に送信されると、画像形成装置１のレベル情報１３３が変更される。動作はステップＳ３０８に進む。
【００７０】
ステップＳ３０８において、検知範囲情報受信部２０２及びレベル情報受信部２０７が、検知範囲情報１３１及びレベル情報１３３を画像形成装置１から再度受信する。動作はステップＳ３０９に進む。
【００７１】
ステップＳ３０９において、拡張画像生成部２０３が、変更後の検知範囲情報１３１及びレベル情報１３３に基づいて、最大範囲画像及び検知範囲画像を生成する。そして、拡張画像生成部２０３が、最大範囲画像及び検知範囲画像を含む拡張現実画像を表示するように表示部２１を制御する。最後に、表示部２１が拡張現実画像を表示する。
【００７２】
図１０を参照して、本実施形態における拡張現実画像を説明する。図１０（ａ）は、省エネ復帰レベル変更前の拡張現実画像（省エネ復帰レベル設定が「低電力モード」の場合）を示す。図１０（ａ）においては、最大範囲画像が細線Ｌ１で表示され、省エネ復帰レベルは「低電力モード」であり、検知範囲は太線Ｌ２で表示される。
【００７３】
一方、図１０（ｂ）は、省エネ復帰レベル変更後の拡張現実画像（省エネ復帰レベル設定が「スリープモード」の場合）を示す。図１０（ｂ）において、省エネ復帰レベル設定は「スリープモード」であり、最大範囲画像が細線Ｌ１で表示され、検知範囲は太点線Ｌ３で表示される。
【００７４】
このように、実施形態３の表示装置２は、省エネ復帰レベルを変更すると、検知範囲画像の表示形状が変更される。なお、省エネ復帰レベルの違いは、例えば、省エネ復帰レベルにより表示する色を変える、省エネレベルに応じて特定の記号を使用するなど、線の形状以外の方法でその違いを表示してもよい。
【００７５】
以上、図８から図１０を参照して、本発明の実施形態３に係る表示装置２について説明した。実施形態３の表示装置２は、画像形成装置１の省エネ復帰レベルを変更して、変更後の省エネ復帰レベルを表示できる。そのため、ユーザーは画像形成装置１の設置場所や省エネ復帰レベルをより適切に調整できる。
【００７６】
以上、図面を参照しながら本発明の実施形態について説明した。ただし、本発明は、上記の実施形態に限られるものではなく、その要旨を逸脱しない範囲で種々の態様において実施することが可能である。
【００７７】
（１）図１〜図１０を参照して説明したように、本発明の実施形態では、表示装置２はスマートフォンであるが、本発明はこれに限定されない。例えば、表示装置２が、パーソナルコンピューター、タブレット端末、携帯電話機、ゲーム機、又は専用端末でもよい。
【００７８】
（２）図１〜図１０を参照して説明したように、本発明の実施形態では、画像形成装置１はカラー複合機であるが、本発明はこれに限定されない。例えば、画像形成装置１が、モノクロ複合機、カラー複写機、モノクロ複写機、カラープリンター、又はモノクロプリンターでもよい。
【００７９】
（３）図１〜図１０を参照して説明したように、本発明の実施形態では、拡張現実マーカーＡＲＭはＱＲコード（登録商標）であるが、本発明はこれに限定されない。例えば、拡張現実マーカーＡＲＭが、他の二次元バーコード、一次元バーコード、又はＲＦＩＤ（Ｒａｄｉｏ  Ｆｒｅｑｕｅｎｃｙ  ＩＤｅｎｔｉｆｉｅｒ）でもよい。
【００８０】
（４）実施形態２の表示装置２は画像形成装置１の人体検知センサー１１の検出感度を変更でき、実施形態３の表示装置２は画像形成装置１の省エネ復帰レベルを変更できる。表示装置２が、人体検知センサー１１の検出感度と省エネ復帰レベルとの両方を変更できてもよい。
【産業上の利用可能性】
【００８１】
本発明は、表示装置の分野に利用可能である。
【符号の説明】
【００８２】
１      画像形成装置
２      表示装置
１０    制御部
１１    人体検知センサー
１２    通信部
１３    記憶部
２０    制御部
２１    表示部
２２    通信部
２３    画像取得部
２４    記憶部
２０１  ＡＲＭ判別部
２０２  検知範囲情報受信部
２０３  拡張画像生成部
２０４  感度情報受信部
２０５  感度変更情報生成部
２０６  感度変更情報送信部
２０７  レベル情報受信部
２０８  レベル変更情報生成部
２０９  レベル変更情報送信部
２１１  ディスプレー
２１２  タッチセンサー
ＡＲＭ  拡張現実マーカー
【図１】
2019160177.tif 000003
【図２】
2019160177.tif 000004
【図３】
2019160177.tif 000005
【図４】
2019160177.tif 000006
【図５】
2019160177.tif 000007
【図６】
2019160177.tif 000008
【図７】
2019160177.tif 000009
【図８】
2019160177.tif 000010
【図９】
2019160177.tif 000011
【図１０】
2019160177.tif 000012